(57)【要約】      （修正有）【課題】遠距離割引の開始を表示により認識させやすくする。【解決手段】後続料金があと１回加算されると遠距離割引の開始金額となる開始予告金額に距離制料金が達すると、タクシーメータや外付け表示装置の表示部において、遠距離割引の開始までの残り走行距離を、「遠距離割引開始まであと１００ｍ」といったメッセージ形式の割引予告画面として表示させる。【選択図】図３
2014010488.tif 000002
【特許請求の範囲】
【請求項１】
車両の走行距離等に応じた運賃を計算し表示すると共に、前記運賃が一定金額に達すると、一定の割引率を適用した遠距離割引後の運賃を計算し表示するタクシーメータにおいて、
前記一定金額よりも低い基準額に前記運賃が達したか否かを判断する判断手段と、
前記基準額に前記運賃が達したと前記判断手段が判断したときに、前記運賃が前記一定金額に達するまで、前記遠距離割引の開始を予告する割引予告画面を前記運賃と共に表示させる割引予告手段と、
を備えることを特徴とするタクシーメータ。
【請求項２】
前記割引予告手段は、前記運賃が前記一定金額に達するのに必要な前記車両の走行距離を含む前記割引予告画面を表示することを特徴とする請求項１記載のタクシーメータ。
【請求項３】
車両の走行距離等に応じた運賃を計算し表示すると共に、前記運賃が一定金額に達すると、一定の割引率を適用した遠距離割引後の運賃を計算し表示するタクシーメータに接続されて、前記遠距離割引に関する情報を表示する外付け表示装置であって、
前記タクシーメータが出力する、前記車両の各種状態の発生回数を示す累計指数に基づいて、前記一定金額よりも低い基準額に前記運賃が達したか否かを判断する判断手段と、
前記基準額に前記運賃が達したと前記判断手段が判断したときに、前記運賃が前記一定金額に達するまで、前記遠距離割引の開始を予告する割引予告画面を、前記遠距離割引に関する情報として表示させる割引予告手段と、
を備えることを特徴とする外付け表示装置。
【請求項４】
前記割引予告手段は、前記運賃が前記一定金額に達するのに必要な前記車両の走行距離を含む前記割引予告画面を表示することを特徴とする請求項３記載の外付け表示装置。
【発明の詳細な説明】
【技術分野】
【０００１】
本発明は、タクシー運賃の計算及び表示を行うタクシーメータとこれに接続して使用される外付け表示装置とに関する。
【背景技術】
【０００２】
タクシー運賃の割引制度の一つとして、走行距離等に応じた料金が一定金額に達すると、一定の割引率を適用してタクシー運賃とする遠距離割引がある。この遠距離割引では、料金の全額又は一定金額を超える分が割引対象となり、割引対象料金に割引率をかけた割引額が、割引後のタクシー運賃と共にタクシーメータに表示される（例えば、特許文献１）。
【先行技術文献】
【特許文献】
【０００３】
【特許文献１】特開２０１０−１３４８４９号公報
【発明の概要】
【発明が解決しようとする課題】
【０００４】
ところが、タクシー運賃には他にも割引制度があり、割引額の表示だけでは遠距離割引の開始を認識することが難しい。
【０００５】
本発明は前記事情に鑑みなされたもので、本発明の目的は、遠距離割引の開始を表示により認識させやすくすることができるタクシーメータとこれに接続して使用される外付け表示装置とを提供することにある。
【課題を解決するための手段】
【０００６】
上記目的を達成するため、請求項１に記載した本発明のタクシーメータは、
車両の走行距離等に応じた運賃を計算し表示すると共に、前記運賃が一定金額に達すると、一定の割引率を適用した遠距離割引後の運賃を計算し表示するタクシーメータにおいて、
前記一定金額よりも低い基準額に前記運賃が達したか否かを判断する判断手段と、
前記基準額に前記運賃が達したと前記判断手段が判断したときに、前記運賃が前記一定金額に達するまで、前記遠距離割引の開始を予告する割引予告画面を前記運賃と共に表示させる割引予告手段と、
を備えることを特徴とする。
【０００７】
また、上記目的を達成するため、請求項３に記載した本発明の外付け表示装置は、
車両の走行距離等に応じた運賃を計算し表示すると共に、前記運賃が一定金額に達すると、一定の割引率を適用した遠距離割引後の運賃を計算し表示するタクシーメータに接続されて、前記遠距離割引に関する情報を表示する外付け表示装置であって、
前記タクシーメータが出力する、前記車両の各種状態の発生回数を示す累計指数に基づいて、前記一定金額よりも低い基準額に前記運賃が達したか否かを判断する判断手段と、
前記基準額に前記運賃が達したと前記判断手段が判断したときに、前記運賃が前記一定金額に達するまで、前記遠距離割引の開始を予告する割引予告画面を、前記遠距離割引に関する情報として表示させる割引予告手段と、
を備えることを特徴とする。
【０００８】
請求項１に記載した本発明のタクシーメータと、請求項３に記載した本発明の外付け表示装置とによれば、遠距離割引が開始される一定金額に運賃が達する前に、一定金額よりも低い基準額に運賃が達すると、運賃が一定金額に達するまでの間、遠距離割引の開始を予告する割引予告画面がタクシーメータや外付け表示装置で表示される。
【０００９】
このため、あと、一定金額と基準額との差分だけ運賃が上がると遠距離割引が開始されることを、割引予告画面の表示によって、遠距離割引の開始前に認識させやすくすることができる。
【００１０】
また、請求項２に記載した本発明のタクシーメータと、請求項４に記載した本発明の外付け表示装置は、請求項１に記載した本発明のタクシーメータと、請求項３に記載した本発明の外付け表示装置において、前記割引予告手段が、前記運賃が前記一定金額に達するのに必要な前記車両の走行距離を含む前記割引予告画面を表示することを特徴とする。
【００１１】
請求項２に記載した本発明のタクシーメータと、請求項４に記載した本発明の外付け表示装置とによれば、請求項１に記載した本発明のタクシーメータと、請求項３に記載した本発明の外付け表示装置とにおいて、運賃が基準額から一定金額まで増える間、あとどのくらい車両が走行すれば遠距離割引が開始されるかが、割引予告画面において表示される。このため、遠距離割引が開始されるまで車両を走行させ続けるかどうかを、割引予告画面の表示距離を目安にして判断させることができる。
【発明の効果】
【００１２】
本発明によれば、タクシー運賃の遠距離割引の開始を表示により認識させやすくすることができる。
【図面の簡単な説明】
【００１３】
【図１】本発明の一実施形態に係るタクシーメータを用いたタクシーメータシステムの概略構成を示すブロック図である。
【図２】図１に示すタクシーメータの演算部がＲＯＭに格納されたプログラムにしたがって行う、タクシー車両において行う運賃の計算及び表示に関する処理の概要を示すフローチャートである。
【図３】図１に示すタクシーメータの演算部がＲＯＭに格納されたプログラムにしたがって行う、タクシー車両において行う運賃の計算及び表示に関する処理の概要を示すフローチャートである。
【図４】図１に示すタクシーメータや外付け表示装置の表示部に運賃と共に表示される割引予告画面の一例を示す説明図である。
【図５】図１に示す外付け表示装置のコントローラが内蔵するＲＯＭに格納されたプログラムにしたがって行う遠距離割引の予告表示に関する処理の概要を示すフローチャートである。
【発明を実施するための形態】
【００１４】
以下、本発明の実施形態を、図面を参照しながら説明する。
【００１５】
図１は本発明の一実施形態に係るタクシーメータを用いたタクシーメータシステムの概略構成を示すブロック図である。図１に示すタクシーメータシステムは、タクシー車両１に搭載されたタクシーメータ１０と、タクシーメータ１０に接続されたプリンタ２０、外付け表示装置３０、及び、車速センサ４０とを有している。
【００１６】
タクシーメータ１０は、タクシー車両１の走行距離に応じた距離制料金を含む運賃を計算し表示するものである。距離制料金は、基本距離まで一律の基本料金と、基本距離を超えると走行距離等に応じた回数加算される後続料金とを合計した料金である。時間距離併用制の距離制料金の場合は、所定速度（例えば時速１０Ｋｍ）以下でタクシー車両１が走行している間、所定時間毎に後続料金が１回加算される。
【００１７】
また、タクシーメータ１０が計算、表示する運賃は、各種の割引制度を適用した運賃も含んでいる。割引制度の一例としては、距離制料金が一定金額に達すると一定の割引率を適用して運賃とする遠距離割引がある。この遠距離割引では、距離制料金の全額又は一定金額を超える分が割引対象となる。そして、タクシーメータ１０では、割引対象料金に割引率をかけた割引額が計算され、割引後のタクシー運賃と共に表示される。
【００１８】
上述した運賃を計算し表示するために、タクシーメータ１０は、運賃や遠距離割引の割引額等が表示される表示部１１と、タリフ状態の入力を行う操作部１２と、作業領域や一時格納領域が設けられる不揮発性のＲＡＭ１３と、プログラム等が格納されるＲＯＭ１４と、タクシー車両１の乗務員に割り当てられたメモリカード５０に対するデータの書き込み及び読み出しを行うメモリカードＩ／Ｏ部１５と、これらの動作を制御する演算部（ＣＰＵ）１６とを有している。また、タクシーメータ１０は、現在時刻を管理する時間計測部（時計ＩＣ）１７を有している。
【００１９】
プリンタ２０、外付け表示装置３０、及び、車速センサ４０は、タクシーメータ１０のインタフェース（Ｉ／Ｆ）１８の各ポート（図示せず）に接続される。また、図示を省略したが、タクシー車両１のタリフ状態を表示する実空車表示器（スーパーサイン）等も、インタフェース１８に接続される。
【００２０】
ＲＡＭ１３には、１回の営業毎の料金や営業キロ、営業時間等の営業データを生成し格納する営業データ格納部が確保される。営業データ格納部の一部は、演算部１６が料金制のデータに基づいて料金を計算する際の作業領域として使用される。また、営業データ格納部の一部は、演算部１６が車両の各種状態を示す累計指数（例えば、営業回数、後続回数、営業キロ、走行キロ、迎車回数／空転キロ、走行時間、営業走行時間、営業時間、遠距離回数、遠距離指数（割引額）等）をカウントするための作業領域として使用される。この累計指数は、上述した営業データの生成にも用いられる。
【００２１】
ＲＯＭ１４（請求項中の記憶手段に相当）には、タクシーメータ１０で計算する運賃の料金制のデータを格納する設定データ格納部が確保される。なお、行政機関の認可が必要な料金制を記憶する場合は、改ざん防止のために設定データ格納部又はＲＯＭ１４を封印することが望ましい。
【００２２】
演算部１６は、操作部１２から入力されるタリフ状態の変化等にしたがって、料金の計算及び表示部１１における表示を行う。なお、演算部１６は、ＲＯＭ１４に格納された料金制のデータを用いて、料金の計算を行う。また、演算部１６は、料金の計算結果や、操作部１２から入力されるタリフ状態、不図示の走行センサからの走行速度（走行距離）に応じた走行パルス等を参照して、各累計指数をカウントする。
【００２３】
プリンタ２０は、タクシーメータ１０の操作部１２の操作により支払タリフから空車タリフにタリフ状態が変化した際に、インタフェース１８を介して出力される、ＲＡＭ１３に格納された１回の営業の営業データに基づいて、領収証をプリントアウトする。また、プリンタ２０は、タクシーメータ１０がインタフェース１８を介して出力する累計指数データ等の各種のデータに基づいて、各種のレポート出力（プリントアウト）も行うことができる。
【００２４】
外付け表示装置３０は、例えば液晶ディスプレイ等の表示部３１とコントローラ３２とを有している。コントローラ３２は、例えば、ＲＡＭとＲＯＭ（いずれも図示せず）を内蔵するマイクロコンピュータで構成することができる。コントローラ３２には、トリガとなるイベントが発生する度に、あるいは、周期的に、インタフェース１８を介してタクシーメータ１０から累計指数のデータが入力される。この累計指数のデータは、コントローラ３２からの要求なしにタクシーメータ１０の演算部１６が自ら出力してもよく、コントローラ３２が要求してタクシーメータ１０の演算部１６に出力させてもよい。そして、コントローラ３２は、入力された累計指数のデータに基づいて、遠距離割引に関する情報を表示部３１に表示させる。
【００２５】
車速センサ４０は、タクシー車両１に設けられたセンサであり、走行距離に応じた数のパルス信号（走行パルス信号）を走行速度に応じた周期で出力する。走行パルス信号はインタフェース１８を介してタクシーメータ１０に入力される。
【００２６】
次に、上述した構成のタクシーメータシステムにおいて、タクシーメータ１０の演算部１６がＲＯＭ１４に格納されたプログラムにしたがって行う、運賃の計算及び表示に関する処理の概要について、図２及び図３のフローチャートを参照して説明する。なお、本実施形態では、支払タリフは実車タリフの一部であるものとする。
【００２７】
図２に示すように、演算部１６は、まず、操作部１２の操作によりタクシーメータ１０のタリフ状態が空車タリフから実車タリフに移行（迎車タリフから実車タリフへの移行を含む）したか否かを確認する（ステップＳ１）。実車タリフに移行していない場合は（ステップＳ１でＮＯ）、一連の処理を終了する。
【００２８】
また、実車タリフに移行した場合は（ステップＳ１でＹＥＳ）、演算部１６は、時間距離併用制の距離制料金を計算し（ステップＳ３）、計算した距離制料金を運賃として表示部１１に表示させる（ステップＳ５）。この距離制料金は、実車タリフになってからのタクシー車両１の走行距離や走行速度、所定速度以下での連続走行時間等のカウント値に基づいて計算される。各カウント値は、車速センサ４０からの走行パルス信号や時間計測部１７の計時内容に基づいてカウントされる。
【００２９】
そして、演算部１６は、後続料金の加算が発生したか否かを確認する（ステップＳ７）。後続料金の加算が発生していない場合は（ステップＳ７でＮＯ）、演算部１６は、操作部１２の操作によりタクシーメータ１０のタリフ状態が実車タリフから空車タリフに移行したか否かを確認する（ステップＳ９）。空車タリフに移行した場合は（ステップＳ９でＹＥＳ）、後述するステップＳ３１に移行し、空車タリフに移行していない場合は（ステップＳ９でＮＯ）、ステップＳ３にリターンする。
【００３０】
また、ステップＳ７において、後続料金の加算が発生した場合（ＹＥＳ）は、演算部１６は、距離制料金が遠距離割引の開始予告金額であるか否かを確認する（ステップＳ１１）。なお、遠距離割引の開始予告金額（請求項中の基準額に相当）は、例えば、次回の料金上がり時（次回の後続料金加算時）に遠距離割引の開始金額（請求項中の一定金額に相当）に達する金額とすることができる。
【００３１】
開始予告金額でない場合は（ステップＳ１１でＮＯ）、ステップＳ３にリターンし、開始予告金額である場合は（ステップＳ１１でＹＥＳ）、演算部１６は、時間距離併用制の距離制料金と、遠距離割引の開始（次回の後続料金加算時）までの残り走行距離とを計算する（ステップＳ１３）。残り走行距離は、遠距離割引の開始予告金額に達してからのタクシー車両１の走行距離等に基づいて、計算することができる。
【００３２】
そして、演算部１６は、計算した距離制料金を運賃として表示部１１に表示させ、かつ、計算した遠距離割引の開始までの残り走行距離を割引予告画面として表示部１１に表示させる（ステップＳ１５）。この割引予告画面は、例えば、図４の説明図に示すような、「遠距離割引開始まであと１００ｍ」といったメッセージ形式の画面とすることができる。
【００３３】
続いて、演算部１６は、後続料金の加算が発生したか否かを確認する（ステップＳ１７）。後続料金の加算が発生していない場合は（ステップＳ１７でＮＯ）、演算部１６は、操作部１２の操作によりタクシーメータ１０のタリフ状態が実車タリフから空車タリフに移行したか否かを確認する（ステップＳ１９）。空車タリフに移行していない場合は（ステップＳ１９でＮＯ）、ステップＳ１３にリターンし、空車タリフに移行した場合は（ステップＳ１９でＹＥＳ）、ステップＳ３１に処理を移行する。
【００３４】
また、ステップＳ１７において、後続料金の加算が発生した場合（ＹＥＳ）は、演算部１６は、距離制料金が遠距離割引の開始金額であるか否かを確認する（ステップＳ２１）。開始金額でない場合は（ステップＳ２１でＮＯ）、ステップＳ１３にリターンする。
【００３５】
また、距離制料金が開始金額である場合は（ステップＳ２１でＹＥＳ）、図３に示すように、演算部１６は、遠距離割引を適用した時間距離併用制の距離制料金と遠距離割引の割引額とを計算する（ステップＳ２３）。そして、計算した割引後の距離制料金を運賃として表示部１１に表示させ、かつ、遠距離割引の開始までの残り走行距離に代えて、割引額と、遠距離割引の適用中であることを示す「遠距」の文字とを、表示部１１に表示させる（ステップＳ２５）。
【００３６】
続いて、演算部１６は、後続料金の加算が発生したか否かを確認する（ステップＳ２７）。後続料金の加算が発生していない場合は（ステップＳ２７でＮＯ）、演算部１６は、操作部１２の操作によりタクシーメータ１０のタリフ状態が実車タリフから空車タリフに移行したか否かを確認する（ステップＳ２９）。空車タリフに移行した場合は（ステップＳ９でＹＥＳ）、ステップＳ３１に移行し、空車タリフに移行していない場合は（ステップＳ２９でＮＯ）、ステップＳ２３にリターンする。
【００３７】
ステップＳ９、ステップＳ１９、及び、ステップＳ２９で空車タリフに移行した場合（ＹＥＳ）に進むステップＳ３１では、図２に示すように、演算部１６は、表示部１１を空車時の表示に変更させる。そして、一連の処理を終了する。
【００３８】
以上の説明からも明らかなように、本実施形態のタクシーメータ１０では、図２のフローチャートにおけるステップＳ１１の処理が、請求項中の判断手段に対応する処理となっている。また、本実施形態のタクシーメータ１０では、図２中のステップＳ１３、ステップＳ１５、ステップＳ１７、及び、ステップＳ２１が、請求項中の割引予告手段に対応する処理となっている。
【００３９】
次に、上述した構成のタクシーメータシステムにおいて、外付け表示装置３０のコントローラ３２が内蔵するＲＯＭに格納されたプログラムにしたがって行う、累計指数の出力に関する処理の概要について、のフローチャートを参照して説明する。図５のフローチャートに示す処理は、一定周期毎に繰り返し実行される。
【００４０】
コントローラ３２は、まず、タクシーメータ１０からの累計指数のデータを受信したか否かを確認する（ステップＳ４１）。受信していない場合は（ステップＳ４１でＮＯ）、一連の処理を終了し、受信した場合は（ステップＳ４１でＹＥＳ）、コントローラ３２は、受信した累計指数から、タクシーメータ１０で計算及び表示されている距離制料金を計算して（ステップＳ４３）、計算した距離制料金が遠距離割引の開始予告金額であるか否かを確認する（ステップＳ４５）。
【００４１】
開始予告金額でない場合は（ステップＳ４５でＮＯ）、後述するステップＳ５１に移行し、開始予告金額である場合は（ステップＳ４５でＹＥＳ）、コントローラ３２は、遠距離割引の開始（次回の後続料金加算時）までの残り走行距離を計算する（ステップＳ４７）。この残り走行距離は、タクシーメータ１０の演算部１６が残り走行距離を計算するのと同じく、遠距離割引の開始予告金額に達してからのタクシー車両１の走行距離や走行速度、所定速度以下での連続走行時間等に基づいて、計算することができる。そこで、コントローラ３２は、タクシーメータ１０からの累計指数を利用して、残り走行距離を計算する。
【００４２】
そして、コントローラ３２は、計算した遠距離割引の開始までの残り走行距離を割引予告画面として表示部３１に表示させて（ステップＳ４９）、一連の処理を終了する。この割引予告画面は、タクシーメータ１０の表示部１１に表示させる割引予告画面と同じく、例えば、図４の説明図に示すような、「遠距離割引開始まであと１００ｍ」といったメッセージ形式の画面とすることができる。
【００４３】
また、ステップＳ４５で計算した距離制料金が遠距離割引の開始予告金額でない場合（ＮＯ）に進むステップＳ５１では、コントローラ３２は、距離制料金が遠距離割引の開始金額である否かを確認する。開始金額でない場合は（ステップＳ５１でＮＯ）、一連の処理を終了し、開始金額である場合は（ステップＳ５１でＹＥＳ）、コントローラ３２は、表示部３１における、遠距離割引の開始までの残り走行距離の表示を終了させて（ステップＳ５３）、一連の処理を終了する。
【００４４】
以上の説明からも明らかなように、本実施形態の外付け表示装置３０では、図５のフローチャートにおけるステップＳ４５の処理が、請求項中の判断手段に対応する処理となっている。また、本実施形態の外付け表示装置３０では、図５中のステップＳ４７、ステップＳ４９、及び、ステップＳ５１が、請求項中の割引予告手段に対応する処理となっている。
【００４５】
以上に説明した構成による本実施形態のタクシーメータ１０や外付け表示装置３０によれば、後続料金があと１回加算されると遠距離割引の開始金額となる開始予告金額に距離制料金が達すると、タクシーメータ１０や外付け表示装置３０の表示部１１，３１において、遠距離割引の開始までの残り走行距離が、「遠距離割引開始まであと１００ｍ」といったメッセージ形式の割引予告画面として表示される構成とした。
【００４６】
このため、遠距離割引が開始される前の段階で、近々遠距離割引が開始されることを、タクシーメータ１０や外付け表示装置３０の表示部１１，３１における割引予告画面の表示によって、遠距離割引の開始前に認識させやすくすることができる。
【００４７】
また、外付け表示装置３０は、タクシーメータ１０が出力する累計指数のデータに基づいて、表示部３１における割引予告画面の表示を行う。このため、累計指数のデータを出力する相手であるプリンタ２０等を接続する既存のインタフェース１８をそのまま利用して、外付け表示装置３０をタクシーメータ１０に接続することができる。
【００４８】
なお、遠距離割引の開始までの残り走行距離の代わりに、残り走行距離の目安となる長さや数のバーを、割引予告画面としてタクシーメータ１０や外付け表示装置３０の表示部１１，３１に表示させるようにしてもよい。しかし、本実施形態のように残り走行距離を数値で表示すれば、遠距離割引の開始まであとどのくらいであるかを、数値によって具体的に認識させることができるので、有利である。
【産業上の利用可能性】
【００４９】
本発明は、タクシー運賃の計算及び表示を行うタクシーメータとこれに接続して使用される外付け表示装置とに用いて好適である。
【符号の説明】
【００５０】
１  タクシー車両
１０  タクシーメータ
１１，３１  表示部
１２  操作部
１３  ＲＡＭ
１４  ＲＯＭ
１５  メモリカードＩ／Ｏ部
１６  演算部
１７  時間計測部
１８  インタフェース
２０  プリンタ
３０  外付け表示装置
３２  コントローラ
４０  車速センサ
【図１】
2014010488.tif 000003
【図２】
2014010488.tif 000004
【図３】
2014010488.tif 000005
【図４】
2014010488.tif 000006
【図５】
2014010488.tif 000007